(57)【要約】【課題】破断部を破断した後においても、開閉部を容器の側面部として利用することができる容器を提供する。【解決手段】容器１０は、右側面部１３０及び左側面部１４０と、右ミシン目３０２及び左ミシン目３１２を破断することで開閉可能になり、開いた状態において、対象物９００を取り出すため取出用開放部８９０と連続した右側面開放部８９２及び左側面開放部８９４を形成する右開閉部４１０及び左開閉部４３０と、右ミシン目３０２を破断された後に右開閉部４１０を閉じた状態に保持する右保持部４５０及び左ミシン目３１２を破断された後に左開閉部４３０を閉じた状態に保持する左保持部４６０を有する。【選択図】図４
2017056973.tif 000002
【特許請求の範囲】
【請求項１】
側面部と、
破断部を破断することで自容器に対して開閉可能となる開閉部であり、開いた状態において、対象物を取り出すため第一の開放部と連続した第二の開放部を前記側面部に形成する開閉部と、
前記破断部が破断された後に、前記開閉部を自容器に対して閉じた状態に保持する保持手段と、
を有する容器。
【請求項２】
前記側面部と稜線部において連続していて、前記第１の開放部を開放する開放位置と前記第１の開放部の少なくとも一部を覆う覆い位置との間で移動可能な覆い部をさらに有し、
前記覆い部に前記第二の開放部と連続する第三の開放部が形成されている請求項１記載の容器。
【請求項３】
前記第一の開放部に蓋をする蓋部をさらに有し、
前記保持手段は、前記蓋部に対して前記開閉部を固定する請求項１又は２記載の容器。
【請求項４】
前記保持手段は、前記開閉部の少なくとも一部が差し込まれる被差込部及び前記開閉部に対して差し込まれる差込部の少なくともいずれか一方を有する請求項１乃至３いずれか記載の容器。
【発明の詳細な説明】
【技術分野】
【０００１】
本発明は、容器に関する。
【背景技術】
【０００２】
特許文献１には、被包装物の側部を被う対向する二対の立ち上げ側板と、それら各立ち上げ側板でそれぞれ開閉自在に保持して、閉じることにより前記被包装物の頂部を被う上フラップとを備える包装箱において、対向する一対の前記上フラップとその上フラップを保持する前記立ち上げ側板間にかけて、各々切り離しを容易とする切り離し線を、その切り離し線で切り離すことにより前記上フラップと立ち上げ側板間の稜線部分を切り取って、前記上フラップを開いたとき、上から手を挿入して前記被包装物の両側に手を掛けることにより前記被包装物を持ち上げて取り出すことができる程度の大きさの手挿入開口を形成可能に設けることを特徴とする、包装箱が記載されている。
【０００３】
特許文献２には、四周側板部及び底板部と、四周側板部の対向する一対の両側板部より各々延出する第一及び第二の蓋板部とを備え、前記第一及び第二の蓋板部にはそれぞれ、基端側の差込み口と、内向きに折り曲げて互いに他方の蓋板部の差込み口に挿嵌し得る先端側の差込みフラップと、開封用破断部とが形成されると共に、各差込みフラップを差込み口への挿嵌状態で抜出不能に係止する係止手段を有し、第二の蓋板部上に重ねた第一の蓋板部の差込みフラップを第二の蓋板部の差込み口に挿嵌係止して封緘し、この封緘した包装箱を第一の蓋板部の開封用破断部の破断によって開封するが、破断した第一の蓋板部の残余部の上に第二の蓋板部を被せ、その差込みフラップを第一の蓋板部の差込み口に挿嵌係止して再封緘できると共に、この再封緘した包装箱を第二の蓋板部の開封用破断部を破断して再開封できるように構成されてなる再封緘機能付き包装箱が記載されている。
【先行技術文献】
【特許文献】
【０００４】
【特許文献１】特開２００７−２５３９７３号公報
【特許文献２】特開２００６−１７６１４９号公報
【発明の概要】
【発明が解決しようとする課題】
【０００５】
本発明は、破断部を破断した後においても、開閉部を容器の側面部として利用することができる容器を提供することを目的とする。
【課題を解決するための手段】
【０００６】
請求項１に係る本発明は、側面部と、破断部を破断することで自容器に対して開閉可能となる開閉部であり、開いた状態において、対象物を取り出すため第一の開放部と連続した第二の開放部を前記側面部に形成する開閉部と、前記破断部が破断された後に、前記開閉部を自容器に対して閉じた状態に保持する保持手段と、を有する容器である。
【０００７】
請求項２に係る本発明は、前記側面部と稜線部において連続していて、前記第１の開放部を開放する開放位置と前記第１の開放部の少なくとも一部を覆う覆い位置との間で移動可能な覆い部をさらに有し、前記覆い部に前記第二の開放部と連続する第三の開放部が形成されている請求項１記載の容器である。
【０００８】
請求項３に係る本発明は、前記第一の開放部に蓋をする蓋部をさらに有し、前記保持手段は、前記蓋部に対して前記開閉部を固定する請求項１又は２記載の容器である。
【０００９】
請求項４に係る本発明は、前記保持手段は、前記開閉部の少なくとも一部が差し込まれる被差込部及び前記開閉部に対して差し込まれる差込部の少なくともいずれか一方を有する請求項１乃至３いずれか記載の容器である。
【発明の効果】
【００１０】
請求項１に係る本発明によれば、破断部を破断した後においても、開閉部を容器の側面部として利用することができる梱包容器を提供することができる。
【００１１】
請求項２に係る本発明によれば、破断部のみを破断することができる。
【００１２】
請求項３に係る本発明によれば、破断部を破断した後においても、対象物を梱包することができる。
【００１３】
請求項４に係る本発明によれば、被差込部及び差込部を有しない容器と比較して、保持部から開閉部が外れることを防止することができる。
【図面の簡単な説明】
【００１４】
【図１】本発明の第１の実施形態に係る容器を示す第１の斜視図であって、内蓋部と外蓋部とが開かれた状態にある容器を示す図である。
【図２】図１に示す容器を示す第２の斜視図であって、右開閉部の一部と左開閉部の一部とか開かれるように、図１に示す状態から破断部の一部が破断された状態にある容器を示す斜視図である。
【図３】図１に示す容器を示す第３の斜視図であって、右開閉部の全部分と左開閉部の全部分とが開かれるように、図２に示す状態から破断部の全部分が破断された状態にある容器を示す斜視図である。
【図４】図１に示す容器を示す第４の斜視図であって、図３に示す状態から右フラップ部と左フラップ部とが開かれた状態にある容器を示す斜視図である。
【図５】図１に示す容器を示す第５の斜視図であって、破断部の全てが破断された状態であって、右開閉部と左開閉部とが閉じた状態に保持されている容器を示す斜視図である。
【図６】図１に示す容器から梱包対象物が取り出される様子を説明する図である。
【図７】図１に示す容器が有する保持部を示す断面図である。
【図８】図８（ａ）は、図７に示す保持部の第１の変形例を示す断面図であり、図８（ｂ）は、図７に示す保持部の第２の変形例を示す斜視図である。
【図９】本発明の第１の実施形態に係る容器の第１の変形例を示す斜視図である。
【図１０】本発明の第１の実施形態に係る容器の第２の変形例を示す斜視図である。
【図１１】図１１（ａ）は、図１０に示す容器が有する把手部材を示す図であり、図１１（ｂ）は、図１１（ａ）に示す把手部材が容器に取り付けられた状態を示す図である。
【図１２】本発明の第２の実施形態に係る容器を示す第１の斜視図であって、内蓋部と外蓋部とが開かれた状態にある容器を示す斜視図である。
【図１３】図１２に示されている容器を示す第２の斜視図であって、開閉部が開かれるように、破断部が全て破断された状態にある容器を示す斜視図である。
【図１４】図１２に示されている容器を示す第３の斜視図であって、開閉部が閉じた状態に保持されている状態にある容器を示す斜視図である。
【図１５】図１２に示す容器から梱包対象物が取り出される様子を説明する図である。
【図１６】本発明の第２の実施形態に係る容器の第１の変形例を示す斜視図である。
【図１７】本発明の第２の実施形態に係る容器の第２の変形例を示す斜視図である。
【発明を実施するための形態】
【００１５】
次に、本発明を実施するための形態を図面を参照して説明する。図１乃至図５には、本発明の第１の実施形態に係る容器１０が示されている。容器１０は、例えば、ダンボール製であり、例えば、所定の形状に裁断された１枚のダンボールを折り曲げて、一部分を他の一部分に固定すること等により製造されるものである。
【００１６】
容器１０は、底面部２０と、前側面部１１０と、後側面部１２０と、右側面部１３０と、左側面部１４０とを有し、これらで囲われる空間内に対象物９００（図６を参照）を収納したり、対象物９００を収納したうえで梱包したりする。また、容器１０には、上方に向けて取出用開放部８９０（図６を参照）が形成されている。取出用開放部８９０は、容器１０内から対象物９００を取り出すための第一の開放部として用いられている。
【００１７】
また、容器１０は、内蓋部２１０と、外蓋部２２０と、右フラップ部２３０と、左フラップ部２４０とを有する。外蓋部２２０は、取出用開放部８９０に蓋をする蓋部として用いられている。また、外蓋部２２０は後側面部１２０に支持されていて、図１乃至図４に示す位置であり、取出用開放部８９０を開放する位置である開放位置と、図５に示す位置であり、取出用開放部８９０を覆い取出用開放部８９０に蓋をする位置である覆い位置との間で移動させることができるようになっている。
【００１８】
内蓋部２１０は、外蓋部２２０と同様に取出用開放部８９０に蓋をする。また、内蓋部２１０は、前側面部１１０に支持されていて、図１乃至図４に示す位置であり、取出用開放部８９０を開放する位置である開放位置と、図５に示す位置であり、取出用開放部８９０を覆い取出用開放部８９０に蓋をする位置である覆い位置との間で移動させることができるようになっている。
【００１９】
図５に示すように、内蓋部２１０と外蓋部２２０とで取出用開放部８９０に蓋をした場合、内蓋部２１０と外蓋部２２０とは互いに隣接し、重なる状態となる。より具体的には、容器１０の空間である空間Ｓ（図６を参照）に対して内蓋部２１０が内側に位置し、外蓋部２２０が外側に位置する状態となる。
【００２０】
右フラップ部２３０は、覆い部として用いられていて、右側面部１３０に支持されていて、右側面部１３０と稜線部１３２において連続している。また、右フラップ部２３０は、図１乃至図３に示すように取出用開放部８９０の一部を覆う位置である覆い位置と、図４に示すように取出用開放部８９０を開放する位置である開放位置との間で移動可能となっている。また、右フラップ部２３０は、取出用開放部８９０の一部を覆うようにすることに替えて、取出用開放部８９０の全部分を覆うようにしてもよい。また、右フラップ部２３０には、第三の開放部として用いられている右フラップ部開放部２３２が形成されている
【００２１】
右フラップ部開放部２３２は、稜線部１３２から左側にのびるように形成されていている。また、右フラップ部開放部２３２は、稜線部１３２近傍における前後方向（Ｚ軸方向）の幅が他の部分よりも広くなっていて、この幅の広い部分に後述する右保持部４５０を上方から下方に向けて差し込むことができるようになっている。
【００２２】
左フラップ部２４０は、右フラップ部２３０と同様に覆い部として用いられていて、左側面部１４０に支持されていて、左側面部１４０と稜線部１４２において連続している。また、左フラップ部２４０は、右フラップ部２３０と同様に、図１乃至図３に示すように取出用開放部８９０の一部を覆う位置である覆い位置と、図４に示すように取出用開放部８９０を開放する位置である開放位置との間で移動可能となっている。また、左フラップ部２４０は、右フラップ部２３０と同様に、取出用開放部８９０の一部を覆うようにすることに替えて、取出用開放部８９０の全部分を覆うようにしてもよい。また、左フラップ部２４０には、第三の開放部として用いられている左フラップ部開放部２４２が形成されている。
【００２３】
左フラップ部開放部２４２は、稜線部１４２から右側にのびるように形成されていている。また、左フラップ部開放部２４２は、稜線部１４２近傍における前後方向（Ｚ軸方向）の幅が他の部分よりも大きくなっていて、この幅の広い部分に後述する左保持部４６０を上方から下方に向けて差し込むことができるようになっている。
【００２４】
また、容器１０には、例えば２本の右ミシン目３０２が形成されている。ここで、ミシン目とは、例えば切り離す等の破断をしやすいように、連続して形成された小孔である。
【００２５】
また、容器１０には、例えば２本の右切込３０４が形成されている。右切込３０４は、それぞれが右フラップ部２３０と右側面部１３０とに跨るように形成されていて、それぞれの右切込３０４に連続するように先述の右ミシン目３０２が形成されている。
【００２６】
また、容器１０には、例えば２本の左ミシン目３１２が形成されている。左ミシン目３１２は、右ミシン目３０２と同様に、破断部として用いられている。
【００２７】
また、容器１０には、例えば２本の左切込３１４が形成されている。左切込３１４は、それぞれが左フラップ部２４０と左側面部１４０とに跨るように形成されていて、それぞれの左切込３１４に連続するように先述の左ミシン目３１２が形成されている。
【００２８】
また、容器１０は、右開閉部４１０を有する。右開閉部４１０は、右切込３０４が形成されていることで右側面部１３０に対して一部分が開閉可能となっていて、右ミシン目３０２をそれぞれに破断されることで右側面部１３０に対して全部分が開閉可能となる。また、右開閉部４１０は、開いた状態において、取出用開放部８９０と連続した右側面開放部８９２（図６も参照）を右側面部１３０に形成する。右側面開放部８９２は、第二の開放部として用いられている。
【００２９】
また、容器１０は、左開閉部４３０を有する。左開閉部４３０は、左切込３１４が形成されていることで左側面部１４０に対して一部分が開閉可能となっていて、左ミシン目３１２をそれぞれに破断することで左側面部１４０に対して全部分が開閉可能となり、開いた状態において、取出用開放部８９０と連続した左側面開放部８９４（図６も参照）を左側面部１４０に形成する。左側面開放部８９４は、右側面開放部８９２と同様に第二の開放部として用いられている。
【００３０】
また、容器１０は、右保持部４５０を有する。右保持部４５０は、右ミシン目３０２が破断された後に右開閉部４１０を右側面部１３０に対して閉じた状態に保持する保持手段として用いられていて、外蓋部２２０の右側から突出している。また、右保持部４５０には、被差込部として用いられている右差込孔４５２が形成されている。そして、図５に示すように、右差込孔４５２に右開閉部４１０の先端部が差し込まれることにより、右開閉部４１０は右側面開放部８９２を閉じた状態に保持される。
【００３１】
また、容器１０は、左保持部４６０を有する。左保持部４６０は、左ミシン目３１２が破断された後に左開閉部４３０を左側面部１４０に対して閉じた状態に保持する保持手段として用いられていて、外蓋部２２０の左側から突出している。また、左保持部４６０には、被差込部として用いられている左差込孔４６２が形成されている。そして、右保持部４５０と同様に。左差込孔４６２に左開閉部４３０の先端部が差し込まれることにより、左開閉部４３０は左側面開放部８９４を閉じた状態に保持される。
【００３２】
以上のように、容器１０においては、右ミシン目３０２が破断された後であっても、右保持部４５０により右開閉部４１０を閉じた位置に保持することができ、左ミシン目３１２が破断された後であっても、左保持部４６０により左開閉部４３０を閉じた位置に保持することができる。このため、容器１０においては、閉じた位置に保持するために、右開閉部４１０と左開閉部４３０とを、外蓋部２２０等に接着用テープ等を用いて固定することを必要とせず、右ミシン目３０２や左ミシン目３１２を破断した後であっても、容器１０を簡単に繰り返して使うことができる。
【００３３】
図６には、図４に示す状態にある容器１０から、即ち、内蓋部２１０と外蓋部２２０とが開かれ、右フラップ部２３０と左フラップ部２４０とが広げられ、右開閉部４１０と左開閉部４３０とが開かれた状態にある容器１０から、対象物９００が取り出される様子が示さている。
【００３４】
図６に示されているように、対象物９００を取り出すには、作業者は、互いに連続している右側面開放部８９２、右フラップ部開放部２３２及び取出用開放部８９０を介して例えば左手を容器１０内に挿入し、容器１０内に挿入した左手で対象物９００の右底部を支え、互いに連続している左側面開放部８９４、左フラップ部開放部２４２及び取出用開放部８９０を介して例えば右手を容器１０内に挿入し、容器１０内に挿入した右手で対象物９００の左底部を支え、その後、対象物９００を上方に持ち上げることにより、対象物９００が取出用開放部８９０を介して容器１０から取り出される。
【００３５】
図７には、右保持部４５０示されている。先述のように、右保持部４５０には、右差込孔４５２が形成されていて、右差込孔４５２に対して右開閉部４１０の先端部が挿入される。
【００３６】
図８（ａ）には、右保持部４５０の第１の変形例が示されている。この第１の変形例においては、右保持部４５０の先端部が右差込部４５４として用いられていて、右差込部４５４が、右開閉部４１０に形成された右差込孔４１２に差し込まれる。左保持部４６０についても、上述の右保持部４５０と同様に変形させることができる。
【００３７】
図８（ｂ）には、右保持部４５０の第２の変形例が示されている。この第２の変形例においては、右保持部４５０は右差込孔４５２と右差込部４５４との両方を有し、右差込孔４５２に右開閉部４１０が有する被差込部４１４が差し込まれ、右差込部４５４が右開閉部４１０に形成された右差込孔４１２に差し込まれる。左保持部４６０についても、上述の右保持部４５０と同様に変形させることができる。
【００３８】
図９には、第１の実施形態に係る容器１０の第１の変形例が示されている。この第１の変形例に係る容器１０は、先述の第１の実施形態に係る容器１０（例えば、図１を参照）が有していた右フラップ部２３０と左フラップ部２４０とを有しない。この第１の変形例に係る容器１０の他の構成は、先述の第１の実施形態に係る容器１０と同一である。このため、図９に第１の実施形態に係る容器１０と同一の符号を図９に示し、第１の実施形態に係る容器１０と同一部分の説明を省略する。
【００３９】
図１０には、第１の実施形態に係る梱包容器の１０に第２の変形例が示されている。この変形例に係る容器１０は、先述の第１の実施形態に係る容器１０の構成に加えて把手８００を有している。
【００４０】
図１１（ａ）には、把手８００が示されている。図１１（ａ）に示すように、把手８００は、把手本体部８０２と、把手本体部８０２の両端部にそれぞれに形成された抜け止め部８０４とを有する。
【００４１】
図１１（ｂ）には、把手８００が容器１０に取り付けられた状態が示されている。図１１（ｂ）に示すように、把手８００は、内蓋部２１０に形成された２つの装着孔２１４の下側に２つの抜け止め部８０４をそれぞれに回り込ませるようにして内蓋部２１０に対して装着されている。そして、内蓋部２１０と外蓋部２２０とがそれぞれに閉じられた状態において、内蓋部２１０に装着された把手８００の把手本体部８０２が、外蓋部２２０に形成された突出用孔２２２から突出した状態となる（図１０も参照）。
【００４２】
この第２の変形例と先述の第１の変形例とを組み合わせて第３の変形例（不図示）とすることもできる。すなわち、図９に示す右フラップ部２３０と左フラップ部２４０とを有しない容器１０の内蓋部２１０に２つの装着孔２１４を形成し、把手８００を装着するとともに、外蓋部２２０に把手本体部８０２を突出させるように突出用孔２２２を形成することもできる。
【００４３】
図１２乃至図１４には本発明の第２の実施形態に係る容器１０が示されていて、図１５には、本発明の第２の実施形態に係る容器１０から対象物９００が取り出される様子が示されている。先述の第１の実施形態に係る容器１０は、右開閉部４１０と左開閉部４３０との２つの開閉部を有し、これらの２つの開閉部をそれぞれに閉じた位置に保持するための２つの保持部である右保持部４５０と左保持部４６０とを有していた。これに対して、この第２の実施形態に係る容器１０は、開閉部と保持部とをそれぞれ１つ有している。
【００４４】
図１２乃至図１４に示すように、第２の実施形態に係る容器１０は、底面部２０と、側面部として用いられている前側面部１１０と、後側面部１２０と、右側面部１３０と、左側面部１４０とを有し、これらの部材で囲われる空間Ｓ内に対象物９００を収納するようにして対象物９００を梱包する。また、容器１０には、上方に向けて取出用開放部８９０が形成されている。取出用開放部８９０は、容器１０内から対象物９００を取り出すための第一の開放部として用いられている。
【００４５】
また、容器１０は、内蓋部２１０と、外蓋部２２０と、右フラップ部２３０と、左フラップ部２４０とを有する。内蓋部２１０は、覆い部として用いられていて、前側面部１１０に支持されていて、前側面部１１０と稜線部１１２において連続している。また、内蓋部２１０は、図１２及び図１３に示す取出用開放部８９０を開放する位置である開放位置と、図１４に示す取出用開放部８９０の少なくとも一部を覆う覆い位置との間で移動可能となっている。
【００４６】
また、内蓋部２１０は、取出用開放部８９０の一部を覆うようにすることに替えて、取出用開放部８９０の全部分を覆うようにしてもよい。また、内蓋部２１０には、第三の開放部として用いられている内蓋開放部２１２が形成されている。内蓋開放部２１２は、第二の開放部として用いられている後述する前側面開放部１１４（図１３を参照）と連続している。
【００４７】
内蓋開放部２１２は、稜線部１１２から前側にのびるように形成されている。また、内蓋開放部２１２は、稜線部１１２近傍における左右方向（Ｘ軸方向）の幅が他の部分よりも大きくなっていて、この幅の広い部分に後述する前保持部４７０を上方から下方に向けて差し込むことができるようになっている。
【００４８】
外蓋部２２０は、取出用開放部８９０に蓋をする蓋部として用いられている。また、外蓋部２２０は後側面部１２０に支持されていて、図１２及び図１３に示す位置であり、取出用開放部８９０を開放する位置である開放位置と、図１４に示す位置であり、取出用開放部８９０を覆い取出用開放部８９０に蓋をする位置である覆い位置との間で移動させることができるようになっている。
【００４９】
また、外蓋部２２０には、保持手段として用いられていて後述する前保持部４７０が設けられている。
【００５０】
図１４に示すように、内蓋部２１０と外蓋部２２０とで取出用開放部８９０に蓋をした場合、内蓋部２１０と外蓋部２２０とは互いに隣接し、重なる状態となる。より具体的には、容器１０内の空間Ｓ（図１５を参照）に対して内蓋部２１０が内側に位置し、外蓋部２２０が外側に位置する状態となる。
【００５１】
右フラップ部２３０は、右側面部１３０に支持されていて、図１２及び図１３に示すように取出用開放部８９０の一部を覆う位置である覆い位置と、取出用開放部８９０を開放する位置である開放位置との間で移動可能となっている。
【００５２】
左フラップ部２４０は、左側面部１４０に支持されていて、図１２及び図１３に示すように取出用開放部８９０の一部を覆う位置である覆い位置と、取出用開放部８９０を開放する位置である開放位置との間で移動可能となっている。
【００５３】
また、容器１０には、例えば２つの前ミシン目３２２が形成されている。２つの前ミシン目３２２は、それぞれが破断部として用いられていて、前側面部１１０に形成されている。
【００５４】
また、容器１０には、例えば２本の前切込３２４が形成されている。前切込３２４は、それぞれが前側面部１１０の上端部側から下方にのびるように形成されていて、それぞれの前切込３２４に連続するように先述の前ミシン目３２２が形成されている。
【００５５】
また、容器１０は、前開閉部４４０を有する。前開閉部４４０は、２つの前ミシン目３２２をそれぞれに破断することで前側面部１１０に対して開閉可能となり、開いた状態において、取出用開放部８９０と連続した前側面開放部１１４を前側面部１１０に形成する。前側面開放部１１４は、先述のように第二の開放部として用いられている。
【００５６】
また、容器１０は、前保持部４７０を有する。前保持部４７０は、２つの前ミシン目３２２が破断された後に前開閉部４４０を前側面部１１０に対して閉じた状態に保持する保持手段として用いられていて、外蓋部２２０の前側から突出するように、外蓋部２２０に設けられている。また、前保持部４７０には、被差込部として用いられている前差込孔４７２が形成されている。そして、図１４に示すように、前差込孔４７２に前開閉部４４０の先端部が差し込まれることにより、前開閉部４４０は前側面開放部１１４を閉じた状態に保持される。
【００５７】
以上のように、この第２の実施形態に係る容器１０においては、前ミシン目３２２が破断された後であっても、前保持部４７０により前開閉部４４０を閉じた位置に保持することができる。このため、この第２の実施形態に係る容器１０においては、前開閉部４４０を閉じた位置に保持するために、前開閉部４４０を外蓋部２２０等に接着用テープ等を用いて固定することを必要とせず、前ミシン目３２２を破断した後であっても、容器１０を簡単に繰り返して使うことができる。
【００５８】
以上の本発明の第２の実施形態の説明においては、容器１０の前保持部４７０に前差込孔４７２が形成されているものを一例として説明したものの、前保持部４７０に前差込孔４７２を形成することに替えて、前保持部４７０に、前開閉部４４０に形成された差込孔（不図示）の差し込まれる差込部（不図示）を形成してもよい（図８（ａ）参照）。また、前保持部４７０に前差込孔４７２のみを形成することに替えて、前保持部４７０に、前差込孔４７２と、前開閉部４４０に形成された差込孔（不図示）に差し込まれる差込部（不図示）との両方を形成してもよい（図８（ｂ）参照）。
【００５９】
図１５には、図１３に示す状態からさらに右フラップ部２３０と左フラップ部２４０とが広げられた状態から、即ち、内蓋部２１０と外蓋部２２０とが開かれ、右フラップ部２３０と左フラップ部２４０とが広げられ、前開閉部４４０が開かれた状態にある容器１０から、対象物９００が取り出される様子が示さている。
【００６０】
図１５に示されているように、対象物９００を取り出すには、作業者は、互いに連続している内蓋開放部２１２、前側面開放部１１４及び取出用開放部８９０を介して例えば右手を容器１０内に挿入し、取出用開放部８９０を介して容器１０内に左手を挿入し、容器１０内に挿入した例えば右手で対象物９００の前側底部を支え、容器１０内に挿入した例えば左手で対象物９００の後側上部を支え、その後、対象物９００を上方に持ち上げることにより、対象物９００を取出用開放部８９０を介して容器１０から取り出すことができる。
【００６１】
図１６には、第２の実施形態に係る梱包容器の第１の変形例が示されている。この第１の変形例に係る容器１０は、先述の第２の実施形態に係る容器１０（例えば、図１２を参照）が有していた内蓋部２１０を有しない。この第１の変形例に係る容器１０の他の構成は、先述の第２の実施形態に係る容器１０と同一である。このため、第２の実施形態に係る容器１０と同一の符号を図１６に示し、第２の実施形態に係る容器１０と同一である部分の説明を省略する。
【００６２】
図１７には、第２の実施形態に係る梱包容器の１０に第２の変形例が示されている。この変形例に係る容器１０は、先述の第２の実施形態に係る容器１０の構成に加えて把手８００を有している。把手８００の構成と、把手８００を容器１０に取り付ける構成とは、先述の第１の実施形態の第１の変形例におけるものと同等であるため（図１１を参照）説明を省略する。
【００６３】
この第２の変形例と先述の第１の変形例とを組み合わせて第３の変形例（不図示）とすることもできる。すなわち、図１６に示す内蓋部２１０を有しない容器１０の内蓋部２１０に２つの装着孔２１４を形成し、把手８００を装着するとともに、外蓋部２２０に把手本体部８０２を突出させるように突出用孔２２２を形成することもできる。
【産業上の利用可能性】
【００６４】
以上で説明をしたように、本発明は、梱包容器に適用することができる。
【符号の説明】
【００６５】
１０・・・容器
１１０・・・前側面部
１１４・・・前側面開放部
２１０・・・内蓋部
２１２・・・内蓋開放部
２２０・・・外蓋部
２３０・・・右フラップ部
２３２・・・右フラップ部開放部
２４０・・・左フラップ部
２４２・・・左フラップ部開放部
３０２・・・右ミシン目
３１２・・・左ミシン目
３２２・・・前ミシン目
４１０・・・右開閉部
４３０・・・左開閉部
４４０・・・前開閉部
４５０・・・右保持部
４６０・・・左保持部
４７０・・・前保持部
８９０・・・取出用開放部
８９２・・・右側面開放部
８９４・・・左側面開放部
９００・・・対象物
【図１】
2017056973.tif 000003
【図２】
2017056973.tif 000004
【図３】
2017056973.tif 000005
【図４】
2017056973.tif 000006
【図５】
2017056973.tif 000007
【図６】
2017056973.tif 000008
【図７】
2017056973.tif 000009
【図８】
2017056973.tif 000010
【図９】
2017056973.tif 000011
【図１０】
2017056973.tif 000012
【図１１】
2017056973.tif 000013
【図１２】
2017056973.tif 000014
【図１３】
2017056973.tif 000015
【図１４】
2017056973.tif 000016
【図１５】
2017056973.tif 000017
【図１６】
2017056973.tif 000018
【図１７】
2017056973.tif 000019